(57)【要約】【目的】  他の多数の良質なＷｅｂサイトとの相互リンクを自動的に増加させ、ユーザーのＷｅｂサイトのページランクを向上させるＳＥＯ自動相互リンクシステムを提供する。【構成】  ユーザーのＷｅｂサイトのリンクページに、相互リンク依頼先のＷｅｂサイトへのリンク情報を追加するリンク追加手段と、前記相互リンク依頼先に相互リンク依頼メールを送信する依頼メール送信手段と、前記依頼メールに対する返信メールを受信する返信メール受信手段と、前記返信メールを受信したかどうかを判定する返信有無判定手段と、前記返信メールの内容を解析する返信メール解析手段と、相互リンクを受諾しなかった依頼先のＷｅｂサイトへのリンク情報を削除又は保留状態とするリンク削除手段と、Ｗｅｂサイトに関する相互リンク状況の報告メールを生成して送信する相互リンク状況報告メール送信手段と、を含むものである。【選択図】    図２
0003133764.tif 000002
【実用新案登録請求の範囲】
【請求項１】
インターネットに接続されて複数ユーザーのＷｅｂサイトを管理するためのＷｅｂサーバー、複数ユーザーのメールの送受信や保存を管理するメールサーバー、及び、複数ユーザーのＷｅｂコンテンツなどのデータを蓄積しておくデータベースを管理するデータベースサーバーを含むサーバーシステムにより構成されるＳＥＯ自動相互リンクシステムであって、
各ユーザーのＷｅｂサイトを構成するＷｅｂコンテンツを蓄積しておくための、ハードディスクなどにより構成されるＷｅｂコンテンツデータベースと、
各ユーザーのＷｅｂサイトとの相互リンクを依頼する依頼先となり得る他の多数のＷｅｂサイトに関して、そのトップページＵＲＬ、そのリンクページＵＲＬ、管理者メールアドレスなどを含むデータを蓄積しておくための、ハードディスクなどにより構成される相互リンク依頼先データベースと、
前記Ｗｅｂサーバーに備えられ、各ユーザーが保有するパソコンなどのユーザー端末からの入力に基づいて、前記相互リンク依頼先データベースから所望の相互リンク依頼先を抽出するための相互リンク依頼先抽出手段と、
前記Ｗｅｂサーバーに備えられ、前記ユーザーのＷｅｂサイトのリンクページに、前記相互リンク依頼先抽出手段により抽出された相互リンク依頼先のＷｅｂサイトの情報とそこへのリンク情報を追加するためのリンク追加手段と、
前記リンク追加手段により新たにリンクを張った相互リンク依頼先のＷｅｂサイトの管理者メールアドレスに向けて、前記ユーザーのＷｅｂサイトのトップページＵＲＬの情報と相互リンクを依頼するメッセージとを含む相互リンク依頼メールを自動生成してインターネット経由で送信するための依頼メール送信手段と、
前記依頼メール送信手段により送信した依頼メールに対する返信メールを受信するための返信メール受信手段と、
前記返信メール受信手段からの出力に基づいて、前記依頼メール送信手段により送信した依頼メールに関して、その返信メールを受信したかどうかを判定するための返信有無判定手段と、
前記返信メール受信手段により受信された返信メールの内容を解析して、前記返信メールの内容が相互リンクの依頼を受諾するものであるかどうかを解析するための返信メール解析手段と、
前記返信有無判定手段及び／又は前記返信メール解析手段からのデータに基づいて、前記ユーザーのＷｅｂサイトのリンクページの中から、前記相互リンク依頼メールに対して返信メールを受信しなかった相互リンク依頼先のＷｅｂサイトへのリンク情報、又は前記相互リンク依頼メールに対する返信メールの内容が相互リンクを受諾しないものであった相互リンク依頼先のＷｅｂサイトへのリンク情報を、自動的に削除又は保留状態とするための第１のリンク削除手段と、
前記返信有無判定手段、前記返信メール解析手段、又は前記第１のリンク削除手段からのデータに基づいて、前記ユーザーのＷｅｂサイトに関する相互リンク状況の報告メールを自動生成し、これを前記ユーザー端末にインターネット経由で送信するための相互リンク状況報告メール送信手段と、
を含むことを特徴とするＳＥＯ自動相互リンクシステム。
【請求項２】
請求項１において、
前記返信メール解析手段からの出力に基づいて、前記返信メール受信手段により受信した返信メールの内容が相互リンクを受諾するという内容であった相互リンク依頼先のＷｅｂサイトのリンクページにアクセスして、そのリンクページの中に、前記ユーザーのＷｅｂサイトへのリンク情報が実際に掲載されているかどうかを検出するための第１の相手先Ｗｅｂサイト内リンク情報検出手段と、
前記第１の相手先Ｗｅｂサイト内リンク情報検出手段からの出力に基づいて、前記相手先Ｗｅｂサイトのリンクページにおいて前記ユーザーのＷｅｂサイトへのリンク情報が実際には掲載されていなかった場合、前記ユーザーのＷｅｂサイトのリンクページから、前記相手先のＷｅｂサイトへのリンク情報を自動的に削除又は保留状態とするための第２のリンク削除手段と、
を含むことを特徴とするＳＥＯ自動相互リンクシステム。
【請求項３】
請求項１又は２において、
前記返信メール解析手段、及び／又は前記第１の相手先Ｗｅｂサイト内リンク情報検出手段からの出力に基づいて、前記返信メール受信手段により受信した返信メールの内容が相互リンクを受諾するという内容であるか又は実際に前記返信メールにより相互リンクを受諾した依頼先のＷｅｂサイトのリンクページの中に前記ユーザーのＷｅｂサイトへのリンク情報が実際に掲載されているときは、前記の受諾した依頼先のＷｅｂサイトに関する情報であってそのリンクページＵＲＬなどの情報を蓄積しておくための相互リンク相手先データベース、を備えたことを特徴とするＳＥＯ自動相互リンクシステム。
【請求項４】
請求項１，２，又は３において、
定期的に、前記相互リンク相手先データベースに蓄積されている各ユーザーの相互リンク相手先のＷｅｂサイトのリンクページにアクセスして、そのリンクページの中に、前記ユーザーのＷｅｂサイトへのリンク情報が実際に掲載されているかどうかを検出するための第２の相手先Ｗｅｂサイト内リンク情報検出手段と、
前記第２の相手先Ｗｅｂサイト内リンク情報検出手段からの出力に基づいて、前記相手先Ｗｅｂサイトのリンクページにおいて前記ユーザーのＷｅｂサイトへのリンク情報が実際には掲載されていなかった場合、前記ユーザーのＷｅｂサイトのリンクページから、前記相手先のＷｅｂサイトへのリンク情報を自動的に削除又は保留状態とするための第３のリンク削除手段と、
を含むことを特徴とするＳＥＯ自動相互リンクシステム。
【請求項５】
請求項４において、
前記第２の相手先Ｗｅｂサイト内リンク情報検出手段、及び／又は前記第３のリンク削除手段からの出力に基づいて、前記第２の相手先Ｗｅｂサイト内リンク情報検出手段による検出の結果前記ユーザーのＷｅｂサイトへのリンク情報が実際には掲載されていなかったことが判明した相手先Ｗｅｂサイトの情報、又は、前記第３のリンク削除手段により前記ユーザーのＷｅｂサイトのリンクページから削除された相手先Ｗｅｂサイトの情報を、前記相互リンク相手先データベースから削除又は保留状態とするための相互リンク相手先データベース管理手段、を含むことを特徴とするＳＥＯ自動相互リンクシステム。
【考案の詳細な説明】
【技術分野】
【０００１】
本考案は、ＳＥＯ（Ｓｅａｒｃｈ  Ｅｎｇｉｎｅ  Ｏｐｔｉｍｉｚａｔｉｏｎ）などに利用可能な相互リンクを自動で増加・管理できるＳＥＯ自動相互リンクシステムに関する。
【背景技術】
【０００２】
従来より、ネット通販を行っているＷｅｂサイトなどは、その集客・販売を増やすために、様々な工夫やサービスを利用している（集客を増やすための懸賞の利用に関して実用新案登録文献１参照）。最近は、ＧｏｏｇｌｅやＹａｈｏｏなどの検索エンジンの検索結果で上位にランクされることが集客に強く結び付くことから、ＳＥＯの技術も注目されている。
【特許文献１】実用新案登録第３８６０８３３号公報
【考案の開示】
【考案が解決しようとする課題】
【０００３】
ところで、上記の検索エンジンの検索結果で上位にランクされるかどうかを決定する一つの要素として、ページランクが知られている。このページランクは、多数の良質なＷｅｂサイトからリンクされているかどうかにより大きな影響を受けるとされている。よって、各Ｗｅｂサイトのページランクを上げるためには、多数の良質なＷｅｂサイトからリンクされていることが必要とされている。
【０００４】
しかしながら、従来は、他のＷｅｂサイトからリンクしてもらおうとすると、既に交流のあるＷｅｂサイトなどに呼び掛けて個別にリンクしてもらうなどの地道な方法によるしか無く、各Ｗｅｂサイト管理者（ユーザー）にとっては極めて煩雑な手間が必要であった。
【０００５】
本考案はこのような従来技術の課題に着目してなされたものであって、Ｗｅｂサイト管理者（ユーザー）に特別な負担を掛けること無く、他の多数の良質なＷｅｂサイトとの相互リンクを自動的に増加させることを通じて、前記ユーザーのＷｅｂサイトにリンクしてくれる他の良質なＷｅｂサイトの数を増加させ、その結果、前記ユーザーのＷｅｂサイトのページランクを容易に上げることができる、ＳＥＯ自動相互リンクシステムを提供することを目的とするものである。
【課題を解決するための手段】
【０００６】
以上のような課題を解決するための本考案によるＳＥＯ自動相互リンクシステムは、インターネットに接続されて複数ユーザーのＷｅｂサイトを管理するためのＷｅｂサーバー、複数ユーザーのメールの送受信や保存を管理するメールサーバー、及び、複数ユーザーのＷｅｂコンテンツなどのデータを蓄積しておくデータベースを管理するデータベースサーバーを含むサーバーシステムにより構成されるＳＥＯ自動相互リンクシステムであって、各ユーザーのＷｅｂサイトを構成するＷｅｂコンテンツを蓄積しておくための、ハードディスクなどにより構成されるＷｅｂコンテンツデータベースと、各ユーザーのＷｅｂサイトとの相互リンクを依頼する依頼先となり得る他の多数のＷｅｂサイトに関して、そのトップページＵＲＬ、そのリンクページＵＲＬ、管理者メールアドレスなどを含むデータを蓄積しておくための、ハードディスクなどにより構成される相互リンク依頼先データベースと、前記Ｗｅｂサーバーに備えられ、各ユーザーが保有するパソコンなどのユーザー端末からの入力に基づいて、前記相互リンク依頼先データベースから所望の相互リンク依頼先を抽出するための相互リンク依頼先抽出手段と、前記Ｗｅｂサーバーに備えられ、前記ユーザーのＷｅｂサイトのリンクページに、前記相互リンク依頼先抽出手段により抽出された相互リンク依頼先のＷｅｂサイトの情報とそこへのリンク情報を追加するためのリンク追加手段と、前記リンク追加手段により新たにリンクを張った相互リンク依頼先のＷｅｂサイトの管理者メールアドレスに向けて、前記ユーザーのＷｅｂサイトのトップページＵＲＬの情報と相互リンクを依頼するメッセージとを含む相互リンク依頼メールを自動生成してインターネット経由で送信するための依頼メール送信手段と、前記依頼メール送信手段により送信した依頼メールに対する返信メールを受信するための返信メール受信手段と、前記返信メール受信手段からの出力に基づいて、前記依頼メール送信手段により送信した依頼メールに関して、その返信メールを受信したかどうかを判定するための返信有無判定手段と、前記返信メール受信手段により受信された返信メールの内容を解析して、前記返信メールの内容が相互リンクの依頼を受諾するものであるかどうかを解析するための返信メール解析手段と、前記返信有無判定手段及び／又は前記返信メール解析手段からのデータに基づいて、前記ユーザーのＷｅｂサイトのリンクページの中から、前記相互リンク依頼メールに対して返信メールを受信しなかった相互リンク依頼先のＷｅｂサイトへのリンク情報、又は前記相互リンク依頼メールに対する返信メールの内容が相互リンクを受諾しないものであった相互リンク依頼先のＷｅｂサイトへのリンク情報を、自動的に削除又は保留状態とするための第１のリンク削除手段と、前記返信有無判定手段、前記返信メール解析手段、又は前記第１のリンク削除手段からのデータに基づいて、前記ユーザーのＷｅｂサイトに関する相互リンク状況の報告メールを自動生成し、これを前記ユーザー端末にインターネット経由で送信するための相互リンク状況報告メール送信手段と、を含むことを特徴とするものである。
【０００７】
また、本考案によるＳＥＯ自動相互リンクシステムにおいては、前記返信メール解析手段からの出力に基づいて、前記返信メール受信手段により受信した返信メールの内容が相互リンクを受諾するという内容であった相互リンク依頼先のＷｅｂサイトのリンクページにアクセスして、そのリンクページの中に、前記ユーザーのＷｅｂサイトへのリンク情報が実際に掲載されているかどうかを検出するための第１の相手先Ｗｅｂサイト内リンク情報検出手段と、前記第１の相手先Ｗｅｂサイト内リンク情報検出手段からの出力に基づいて、前記相手先Ｗｅｂサイトのリンクページにおいて前記ユーザーのＷｅｂサイトへのリンク情報が実際には掲載されていなかった場合、前記ユーザーのＷｅｂサイトのリンクページから、前記相手先のＷｅｂサイトへのリンク情報を自動的に削除又は保留状態とするための第２のリンク削除手段と、を含むことが望ましい。
【０００８】
また、本考案によるＳＥＯ自動相互リンクシステムにおいては、前記返信メール解析手段、及び／又は前記第１の相手先Ｗｅｂサイト内リンク情報検出手段からの出力に基づいて、前記返信メール受信手段により受信した返信メールの内容が相互リンクを受諾するという内容であるか又は実際に前記返信メールにより相互リンクを受諾した依頼先のＷｅｂサイトのリンクページの中に前記ユーザーのＷｅｂサイトへのリンク情報が実際に掲載されているときは、前記の受諾した依頼先のＷｅｂサイトに関する情報であってそのリンクページＵＲＬなどの情報を蓄積しておくための相互リンク相手先データベース、を備えたことが望ましい。
【０００９】
また、本考案によるＳＥＯ自動相互リンクシステムにおいては、定期的に、前記相互リンク相手先データベースに蓄積されている各ユーザーの相互リンク相手先のＷｅｂサイトのリンクページにアクセスして、そのリンクページの中に、前記ユーザーのＷｅｂサイトへのリンク情報が実際に掲載されているかどうかを検出するための第２の相手先Ｗｅｂサイト内リンク情報検出手段と、前記第２の相手先Ｗｅｂサイト内リンク情報検出手段からの出力に基づいて、前記相手先Ｗｅｂサイトのリンクページにおいて前記ユーザーのＷｅｂサイトへのリンク情報が実際には掲載されていなかった場合、前記ユーザーのＷｅｂサイトのリンクページから、前記相手先のＷｅｂサイトへのリンク情報を自動的に削除又は保留状態とするための第３のリンク削除手段と、を含むことが望ましい。
【００１０】
また、本考案によるＳＥＯ自動相互リンクシステムにおいては、前記第２の相手先Ｗｅｂサイト内リンク情報検出手段、及び／又は前記第３のリンク削除手段からの出力に基づいて、前記第２の相手先Ｗｅｂサイト内リンク情報検出手段による検出の結果前記ユーザーのＷｅｂサイトへのリンク情報が実際には掲載されていなかったことが判明した相手先Ｗｅｂサイトの情報、又は、前記第３のリンク削除手段により前記ユーザーのＷｅｂサイトのリンクページから削除された相手先Ｗｅｂサイトの情報を、前記相互リンク相手先データベースから削除又は保留状態とするための相互リンク相手先データベース管理手段、を含むことが望ましい。
【考案の効果】
【００１１】
本考案においては、前記相互リンク依頼先データベースから所望の相互リンク依頼先を抽出し、前記抽出した相互リンク依頼先のＷｅｂサイトの情報とそこへのリンク情報をまず自らのＷｅｂサイトのリンクページに追加すると共に、前記抽出した相互リンクの依頼先へ相互リンクを依頼するメールを自動で生成して送信するようにしているので、各ユーザー（Ｗｅｂサイト管理者）に特別な負担を掛けること無く、前記ユーザーのＷｅｂサイトに相互リンクしてくれる他の良質なＷｅｂサイトの数を増加させ、その結果、前記ユーザーのＷｅｂサイトのページランクを上げることが容易にできるようになる。
【００１２】
また、本考案においては、前記相互リンク依頼メールに対して返信メールを出してくれなかった依頼先、前記返信メールは出してくれたが相互リンクを受諾してくれなかった依頼先、又は前記返信メールでは相互リンクを受諾したが実際には相互リンクを張ってくれなかったか又は後で勝手に相互リンクを止めた相手先のＷｅｂサイトに関して、前記ユーザーのＷｅｂサイトのリンクページ中の前記依頼先のＷｅｂサイトの情報とそこへのリンク情報を自動的に削除又は保留状態とするようにしているので、前記ユーザーのＷｅｂサイトのリンクページの中に相互リンクしてない他のＷｅｂサイトの情報とそこへのリンク情報が存在してしまうこと（ユーザーのＷｅｂサイトのリンクページのリンク集が「リンク切れのオンパレード」になってしまうこと）を、各ユーザーに負担を掛けること無く、有効に防止することができる。
【考案を実施するための最良の形態】
【００１３】
本考案を実施するための最良の形態は、以下の実施例１について述べるような形態である。
【実施例１】
【００１４】
図１は本考案の実施例１によるＳＥＯ自動相互リンクシステムの全体像を示す概略ブロック図である。図１において、１は複数のユーザーがそれぞれ保有するパソコンなどのユーザー端末、２はインターネット及び／又は公衆携帯電話網などから成るネットワーク、３は前記ユーザーのためにＷｅｂサイトホスティングサービスを提供するサーバーシステム、４は前記ユーザーのＷｅｂサイトがリンクしているか又はしようとする相互リンク相手先又は相互リンク依頼先のＷｅｂサイトを管理するＷｅｂサーバー、である。
【００１５】
図１において、前記ユーザー端末１は、例えば、Ｗｅｂブラウザやメーラーなどがインストールされたパソコン、又は携帯電話などの携帯型通信端末である。また、前記サーバーシステム３は、Ｗｅｂサイトホスティングサービスの遂行のため、各ユーザー別のＷｅｂサイトコンテンツを蓄積しておくデータベースを管理するためのデータベースサーバー、前記Ｗｅｂコンテンツのインターネットへの公開などを行うためのＷｅｂサーバー、及び、各ユーザーのためのメールの送受信や保存のサービスを提供するためのメールサーバーなどから構成される情報処理装置である。
【００１６】
前記サーバーシステム３を構成するデータベースサーバーは、通常のＷｅｂサイトのコンテンツを蓄積するサービスだけでなく、後述するような相互リンクをこれから依頼する依頼先の先Ｗｅｂサイトとその管理者に関するデータベース、各ユーザーのＷｅｂサイトが相互リンクしている相互リンク相手先のＷｅｂサイトのリンクページなどの情報に関するデータベースなどをも管理している。また、前記サーバーシステム３を構成するＷｅｂサーバーは、通常のＷｅｂサイトホスティングサービスだけでなく、後述するような相互リンク相手先Ｗｅｂサイトのリンクページ内のリンク情報の自動検出サービスやユーザーのＷｅｂサイトのリンクページのリンク集の自動修正・更新サービス（相手先Ｗｅｂサイトにこちらへのリンクが張られていない場合の対抗処理としてのリンク情報の自動の削除又は保留の処理など）を行う機能なども備えている。さらに、前記サーバーシステム３を構成するメールサーバーは、通常のメールの送受信や保存のサービスだけでなく、後述するような相互リンク依頼先への相互リンクを依頼するメールを自動生成・自動送信する機能や、依頼メールを送った依頼先からの返信メールの内容の解析サービスを行う機能や、各ユーザーのＷｅｂサイトの相互リンク状況に関する報告メールを自動生成・自動送信する機能なども備えている。
【００１７】
次に、前記サーバーシステム３の構成及び動作を図２（前記サーバーシステム３を構成するデータベースサーバー、Ｗｅｂサーバー、及びメールサーバーなどにより実現される複数の機能を説明するための概念ブロック図）を参照して説明する。図２において、１１は各ユーザーのＷｅｂサイトで公開するコンテンツを蓄積しておくためのＷｅｂコンテンツデータベース、１２は前記各ユーザーのＷｅｂサイトのリンクページの中で相互リンクをしている相手先Ｗｅｂサイトに関するトップページＵＲＬ、リンクページＵＲＬ、管理者メールアドレス、名称などのデータを蓄積しておくための相互リンク相手先データベース、１３は前記各ユーザーがこれから相互リンクを依頼しようとする依頼先のＷｅｂサイトに関するトップページＵＲＬ、リンクページＵＲＬ、管理者メールアドレス、名称などのデータを蓄積しておくための相互リンク依頼先データベース、である。
【００１８】
また、図２において、１４は、各ユーザー端末１から、各ユーザーのＷｅｂサイトの相互リンクの数を増加させるための相互リンク依頼メールを送信する依頼先に関する業種名などの希望条件の入力を、所定のＷｅｂサイト画面からネットワーク２経由で受け付ける相互リンク依頼希望条件受付部、である。また、１５は、前記相互リンク依頼希望条件受付部１４からのデータに基づいて、前記相互リンク依頼先データベース１３から前記希望条件とマッチングする所望の相互リンク依頼先を抽出するための相互リンク依頼先抽出部、である。
【００１９】
また、図２において、１６は、前記相互リンク依頼希望条件受付部１４及び前記相互リンク依頼先抽出部１５からのデータに基づいて、前記ユーザーのＷｅｂサイトのリンクページに、前記抽出した相互リンク依頼先のＷｅｂサイトに関する情報及びそのトップページへのリンク情報を追加したり前記情報を削除又は保留したりするためのＷｅｂコンテンツ更新部、である。例えば、前記Ｗｅｂコンテンツ更新部１６は、前記相互リンク依頼希望条件受付部１４からのデータに基づいて、前記相互リンク依頼先抽出部１５から前記相互リンク依頼先のＷｅｂサイト情報を受信し、この受信した情報を使用して、前記ユーザーのＷｅｂサイトのリンクページのリンク集の中に、前記抽出した相互リンク依頼先のＷｅｂサイトの情報及びそこへのリンク情報を、自動的に追加する。
【００２０】
また、図２において、１７は、前記相互リンク依頼希望条件受付部１４及び前記相互リンク依頼先抽出部１５からのデータに基づいて、前記抽出した相互リンク依頼先に相互リンクを依頼するためのメールを自動的に生成する相互リンク依頼メール生成部、である。例えば、前記相互リンク依頼メール生成部１７は、前記相互リンク依頼希望条件受付部１４からのデータに基づいて、前記相互リンク依頼先抽出部１５から前記相互リンク依頼先のＷｅｂサイト情報と管理者メールアドレスを受信し、この受信した情報を使用して、前記依頼先の管理者メールアドレスを宛先として前記ユーザーのＷｅｂサイトとの相互リンクを依頼するメールを自動生成する。前記相互リンク依頼メールには、前記ユーザーのＷｅｂサイトのリンクページに依頼先のＷｅｂサイトの情報とそこへのリンク情報を掲載したこと、相互リンクを依頼すること、もし相互リンクを受諾する場合は依頼先のＷｅｂサイトのリンクページにリンク情報を掲載し、そのリンクページＵＲＬを返信メールの中で知らせて欲しいということなどの内容を含んでいる。また、１８は、前記相互リンク依頼メール生成部１７からの出力に基づいて、前記自動生成された相互リンク依頼メールを前記依頼先にネットワーク２経由で送信するメール送信部である。
【００２１】
また、図２において、１９は前記メール送信部１８から送信された前記相互リンク依頼メールに対する返信メールを受信する返信メール受信部、である。また、２０は、前記メール送信部１８及び前記返信メール受信部１９からのデータに基づいて、前記メール送信部１８から送信された前記相互リンク依頼メールに対してその返信メールを受信したかどうかを判定するための返信有無判定部、である。
【００２２】
前記返信有無判定部２０は、前記メール送信部１８が送信した前記相互リンク依頼メールの宛先メールアドレスなどのデータと、前記返信メール受信部１９が受信した前記返信メールの返信元メールアドレスなどのデータとを照合して、前記の各相互リンク依頼メールに対して返信メールが送信されてきたかどうかを判定する。そして、この判定に基づいて、前記返信有無判定部２０は、前記相互リンク依頼メールに対して返信が無かった依頼先のＷｅｂサイトに関する情報を、前記Ｗｅｂコンテンツ更新部１６に送信する。前記Ｗｅｂコンテンツ更新部１６は、前記返信有無判定部２０からの情報に基づいて、前記Ｗｅｂコンテンツデータベース１１中の前記ユーザーのＷｅｂサイトのリンクページにアクセスして、その中の前記返信メールを出してくれなかった依頼先のＷｅｂサイトの情報とそこへのリンク情報を自動的に削除又は保留状態とする。
【００２３】
また、図２において、２１は前記返信メール受信部１９からのデータに基づいて、前記返信メール受信部１９が受信した返信メールの内容（本文）を解析する返信メール解析部、である。前記返信メール解析部２１が前記返信メールの内容を解析した結果、（Ａ）前記返信メールの内容が前記相互リンク依頼メールの相互リンクの依頼を「受諾して相互リンクを行った」というものであるときは、前記返信メール解析部２１は、その依頼先のＷｅｂサイトのリンクページのＵＲＬを抽出し（前記返信メールは、相互リンクを受諾して相互リンクを行ったときは、その相互リンクを行った依頼先ＷｅｂサイトのリンクページＵＲＬを本文の中に記載するようになっている）、そのＵＲＬを、前記ユーザーのＷｅｂサイトと関連付けて、前記相互リンク相手先データベース１２に送信して書き込む。この場合は、前記相互リンク依頼メールを自動生成・送信する前に前記Ｗｅｂコンテンツ更新部１６が追加した前記ユーザーのＷｅｂサイトのリンクページ中の前記依頼先Ｗｅｂサイトの情報及びそこへのリンク情報は、相互リンク相手先のＷｅｂサイトへのリンク情報として、そのまま維持される。
【００２４】
他方、前記返信メール解析部２１が前記返信メールの内容を解析した結果、（Ｂ）前記返信メールの内容が前記相互リンク依頼メールの相互リンクの依頼を「受諾しない」というものであるときは、前記返信メール解析部２１は、そのことを示す情報を前記Ｗｅｂコンテンツ更新部１６に送信する。前記Ｗｅｂコンテンツ更新部１６は、前記返信メール解析部２１からの情報に基づいて、前記Ｗｅｂコンテンツデータベース１１中の前記ユーザーのＷｅｂサイトのリンクページにアクセスして、その中の前記返信メールにおいて相互リンクを受諾してくれなかった依頼先のＷｅｂサイトの情報とそこへのリンク情報を自動的に削除又は保留状態とする。
【００２５】
また、図２において、２２は前記返信有無判定部２０及び前記返信メール解析部２１からのデータに基づいて、前記ユーザーに前記相互リンク依頼メールによる相互リンクの依頼結果の状況を報告するメールを自動的に生成するための相互リンク状況報告メール生成部、である。前記相互リンク状況報告メール生成部２２は、（ａ）前記返信有無判定部２０からの「前記相互リンク依頼メールに対する返信メールが来なかったこと」を示す情報、（ｂ）前記返信メール解析部２１からの「前記返信メールの内容が相互リンクを受諾しないという内容であったこと」を示す情報、及び、（ｃ）上記（ａ）（ｂ）より前記相互リンク依頼メールを生成・送信する前に前記ユーザーのＷｅｂサイトのリンクページに追加した前記依頼先のＷｅｂサイトの情報とそこへのリンク情報を前記Ｗｅｂコンテンツ更新部１６により削除したか又は保留状態としたことを示す情報を、前記ユーザーに報告するための相互リンク状況報告メールを、自動的に生成する。前記相互リンク状況報告メール生成部２２により自動生成された相互リンク状況報告メールは、前記メール送信部１８に送られて、ネットワーク２経由で前記ユーザーに送られる。
【００２６】
また、図２において、２３は、定期的に（例えば数日間に一回）、前記相互リンク相手先データベース１２にアクセスし、前記ユーザーの相互リンクの相手先のＷｅｂサイトのリンクページ（以下「相手先リンクページ」という）のＵＲＬを読み取って、その相手先リンクページＵＲＬにアクセスして、その相手先リンクページの中に前記ユーザーのＷｅｂサイトの情報とそこへのリンク情報が実際に記載されているかどうかを検出する相手先ページ内リンク情報検出部、である。前記返信メール受信部１９が受信した返信メールの内容が「相互リンクを受諾して相互リンクを行った」というものであっても、実際には相手先がリンクを張っていなかったり、そのときは実際に相手先がリンクを張っていたがその後にリンク情報を削除又は保留にしたなどの不適切な状況が存在し得る。そこで、本実施例１では、前記相手先ページ内リンク情報検出部２３が定期的に相手先のリンクページにアクセスして、実際に相手先がリンクを張ってくれているかどうかを検出するようにし、これにより、前述のように不適切な状況の有無を判別できるようにしている。
【００２７】
前記相手先ページ内リンク情報検出部２３は、前記検出動作の結果、実際にはリンクを張ってくれていないか又は当初はリンクを張っていたがその後にリンクを削除又は保留にしたことが判明した相手先リンクページが存在する場合は、そのような不適切な状況が存在している相手先Ｗｅｂサイトに関する情報を、前記Ｗｅｂコンテンツ更新部１６に送信する。前記Ｗｅｂコンテンツ更新部１６は、前記相手先ページ内リンク情報検出部２３からの情報に基づいて、前記Ｗｅｂコンテンツデータベース１１中の前記ユーザーのＷｅｂサイトのリンクページのリンク集にアクセスして、その中の前述のような不適切な状況が存在する相手先Ｗｅｂサイトの情報とそこへのリンク情報を削除又は保留状態とする。
【００２８】
また、この場合、前記相手先ページ内リンク情報検出部２３は、同時に、前述のような不適切な状況が存在している相手先Ｗｅｂサイトに関する情報を、前記相互リンク状況報告メール生成部２２に送信する。前記相互リンク状況報告メール生成部２２は、前記相手先ページ内リンク情報検出部２３からの情報に基づいて、（ａ）前述のような不適切な状況が存在している相手先Ｗｅｂサイトに関する情報と、（ｂ）そのような相手先のＷｅｂサイトの情報とそこへのリンク情報を前記Ｗｅｂコンテンツ更新部１６により前記ユーザーのＷｅｂサイトから削除又は保留としたことを示す情報とを、前記ユーザーに報告するための相互リンク状況報告メールを、自動生成する。前記相互リンク状況報告メール生成部２２により自動生成された相互リンク状況報告メールは、前記メール送信部１８に送られて、ネットワーク２経由で前記ユーザーに送られる。
【００２９】
なお、本実施例１では、前記相手先ページ内リンク情報検出部２３は、前述のように、定期的に（例えば数日間に一回）、前記相手先リンクページＵＲＬにアクセスして、その相手先リンクページの中に前記ユーザーのＷｅｂサイトの情報とそこへのリンク情報が実際に掲載されているかどうかを検出するようにしている。しかし、本実施例１では、さらに、それ以外の場合、すなわち、前記返信メール解析部２１が前記返信メールの内容が「相互リンクを受諾して相互リンクを行った」というものだと解析した場合にも、前記返信メール解析部２１から送られてきた前記情報（前記相手先リンクページＵＲＬを示す情報を含む）に基づいて、前記相手先ページ内リンク情報検出部２３は、直ちに、前記相手先リンクページＵＲＬにアクセスして、その相手先リンクページの中に前記ユーザーのＷｅｂサイトの情報とそこへのリンク情報が実際に掲載されているかどうかを検出するようにしている。そして、この検出の結果、前記相手先リンクページが実際には前記ユーザーのＷｅｂサイトへのリンクを張ってくれていなかったということが判明した場合は、前述と同様に、前記Ｗｅｂコンテンツ更新部１６により、前記ユーザーのＷｅｂサイトのリンクページ中の前記相手先Ｗｅｂサイトの情報とそこへのリンク情報を削除又は保留状態とする処理を行う。
【００３０】
次に、図２に関して前述した本実施例１における前記サーバーシステム３による具体的な動作を、図３のフローチャートを参照して説明する。まず、前記相互リンク依頼希望条件受付部１４が、本実施例１のＳＥＯ自動相互リンクのサービスを希望するユーザーから、相互リンクの依頼先の希望業種名などの希望条件を受け付ける（ステップＳ１）。すると、前記相互リンク依頼先抽出部１５が、前記受け付けた希望条件とマッチングする依頼先を、前記相互リンク依頼先データベース１３から抽出する（ステップＳ２）。なお、この場合、オプションにより、前記ユーザーが自ら、相互リンクの依頼を希望する相手先のＷｅｂサイトの情報を前記サーバーシステム３側に入力するようにしてもよい。
【００３１】
前記の相互リンク依頼先の抽出が行われると、前記Ｗｅｂコンテンツ更新部１６が、前記Ｗｅｂコンテンツデータベース１１にアクセスし、前記ユーザーのＷｅｂサイトのリンクページの中に、前記抽出した依頼先のＷｅｂサイトの情報とそこへのリンク情報を追加する（ステップＳ３）。また、これと同時に又は前後して、前記相互リンク依頼メール生成部１７が、前記依頼先に相互リンクを依頼するためのメールを自動生成し、これを前記メール送信部１８から送信する（ステップＳ４）。
【００３２】
その後、前記返信有無判定部２０が、前記返信メール受信部１９が前記相互リンク依頼メールに対する返信メールを受信したかどうかを判定する（ステップＳ５）。前記ステップＳ５の判定がＹＥＳのときは、次のステップＳ６に進み、前記返信メール解析部２１が、前記返信メールの内容が「相互リンクを受諾し、相互リンクを行った」というものかどうかを解析する。前記ステップＳ６の解析結果がＹＥＳのときは、次のステップＳ７に進み、前記相手先ページ内リンク情報検出部２３が、前記依頼先（相手先）のＷｅｂサイトのリンクページの中に実際に前記ユーザーのＷｅｂサイトへのリンク情報が掲載されているかどうかを検出する。前記ステップＳ７の検出結果がＹＥＳのときは、次のステップＳ８に進み、前記相互リンクを受諾した依頼先のＷｅｂサイトのデータを、前記相互リンク相手先データベースの中に、相互リンク相手先Ｗｅｂサイトのデータとして、追加する。その後、ステップＳ１０に進み、前記相互リンク状況報告メール生成部２２が、前記ステップＳ５，Ｓ６，Ｓ７の結果（相互リンク依頼メールを送信した依頼先が相互リンクを受諾して実際に相互リンクを張ってくれたこと）を前記ユーザーに報告するための相互リンク報告メールを生成し、これを前記メール送信部１８が前記ユーザーに送信する。
【００３３】
他方、前記ステップＳ５，Ｓ６，Ｓ７のいずれかの結果がＮＯであったときは、次のステップＳ９に進み、前記Ｗｅｂコンテンツ更新部１６が、前記Ｗｅｂコンテンツデータベース１１にアクセスし、前記ユーザーのＷｅｂサイト内のリンクページのリンク集から、前記ステップＳ３で追加した前記依頼先Ｗｅｂサイトの情報とそこへのリンク情報を削除又は保留状態とする。その後、ステップＳ１０に進み、前記相互リンク状況報告メール生成部２２が、前記ステップＳ５，Ｓ６，Ｓ７の結果（相互リンク依頼メールを送信した依頼先が、返信メールを送信してくれなかった、相互リンクを受諾しなかった、又は、実際には相互リンクを張ってくれなかったこと）を前記ユーザーに報告するための相互リンク報告メールを生成し、これを前記メール送信部１８が前記ユーザーに送信する。
【００３４】
以上が図３に示す本実施例１によるＳＥＯ自動相互リンクサービスの動作の概要である。なお、図３には示していないが、前記相互リンクの依頼が依頼先から受諾されて相互リンクが開始された場合も、その後のメンテナンスとして、前記相手先ページ内リンク情報検出部２３が、定期的に（例えば数日間に１回）、前記相互リンク相手先データベース１２に蓄積されている相互リンク相手先のＷｅｂサイトのリンクページにアクセスして、そこに前記ユーザーのＷｅｂサイトへのリンク情報が実際に未だ掲載されているかどうかを検出するようにし、実際には前記リンク情報が削除されていたというような不適切な事態が判明した場合は、前記Ｗｅｂコンテンツ更新部１６が、前記Ｗｅｂコンテンツデータベース１１にアクセスして、前記ユーザーのＷｅｂサイトのリンクページから前記不適切な相手先のＷｅｂサイトの情報とそこへのリンク情報を削除又は保留状態とする（また、これと同時に、前記相互リンク相手先データベース１２から前記不適切な相手先Ｗｅｂサイトの情報を削除し、且つ、そのことを報告する相互リンク状況報告メールを生成して前記ユーザーに送信する）ようにしていることは、前述のとおりである。
【００３５】
また、図４は、前記ユーザーが前記ユーザー端末１から、前記サーバーシステム３内の相互リンク相手先データベース１２（図２参照）にアクセスして、自己のＷｅｂサイトが相互リンクしている相手先Ｗｅｂサイトの情報を一覧表示させたときの表示画面の一例を示す図である。図４の画面では、各相手先Ｗｅｂサイトのタイトル（名称）とそこへのリンクの状態（掲載中か保留中か削除かなど）がそれぞれ表示されている。また、前記ユーザーは、図４の画面の図示右側の「変更」の欄の中の所望のボタンをクリックすることにより、前記各相手先Ｗｅｂサイトへのリンクの状態を変更させることができる。例えば、各相手先Ｗｅｂサイト毎に、「掲載中」を「掲載保留」や「削除」などに変更することができる。このような変更は、通常は、前記の図３のステップＳ８，Ｓ９などで述べたように、前記Ｗｅｂコンテンツ更新部１６により自動的に行われるものであるが、本実施例１では、この図４のような画面を開くことにより、各ユーザーが個別に手動で行うこともできる。
【００３６】
また、図５は、前記ユーザーが図４の画面に表示されている複数の相互リンク相手先のＷｅｂサイトのどれか一つのタイトルをクリックして、その一つの相互リンク相手先のＷｅｂサイトの詳細情報を表示したときの画面の一例を示す図である。図４の画面は前記ユーザーのＷｅｂサイトが相互リンクしている複数の相手先Ｗｅｂサイトの情報を一覧表示するものであるが、本実施例１では、前記ユーザーが、この図４の一覧表示された複数の相手先Ｗｅｂサイトの中のどれか一つを選択することにより、図５に示すように、その詳細情報を表示させることができる。また、ユーザーは、この図５に示す詳細情報の画面でも、前記の図４に関して説明したのと同様の変更処理（相手先Ｗｅｂサイトへのリンクの状態を変更させる処理）を行うことができる。
【００３７】
さらに、図６は、前記ユーザーが自己のＷｅｂサイトのリンクページの中のリンク集の内容を修正するために使用する画面の一例を示す図である。前述のように、前記ユーザーのＷｅｂサイトのリンクページに対しては、前記Ｗｅｂコンテンツ更新部１６が、相互リンクの依頼先や相手先のＷｅｂサイトの情報やそこへのリンク情報を、自動的に追加したり削除したりしているが、本実施例１では、図６に示すような修正画面を開くことにより、前記ユーザーが個別に手動で修正・更新を加えることもできるようになっている。
【００３８】
以上に説明したように、本実施例１においては、前記相互リンク依頼先データベース１３からユーザーの希望に合致する相互リンク依頼先を抽出し、前記抽出した相互リンク依頼先のＷｅｂサイトの情報とそこへのリンク情報をまず自らのＷｅｂサイトのリンクページに追加すると共に、前記抽出した相互リンクの依頼先へ相互リンクを依頼するメールを自動で生成して送信するようにしているので、前記ユーザーに特別な負担を掛けること無く、前記ユーザーのＷｅｂサイトに相互リンクしてくれる他の良質なＷｅｂサイトの数を増加させ、その結果、前記ユーザーのＷｅｂサイトのページランクを上げることを容易に実現できるようになる。
【００３９】
また、本実施例１においては、前記相互リンク依頼メールに対して返信メールを出してくれなかった依頼先、前記返信メールは出してくれたが相互リンクを受諾してくれなかった依頼先、前記返信メールでは相互リンクを受諾していたが実際にはリンクを張ってくれなかったか又は後で勝手にリンクを止めた相手先のＷｅｂサイトに関して、前記ユーザーのＷｅｂサイトのリンクページ中の前記依頼先のＷｅｂサイトの情報とそこへのリンク情報を自動的に削除又は保留状態とするようにしているので、前記ユーザーのＷｅｂサイトのリンクページの中に実際には相互リンクしてない他のＷｅｂサイトの情報とそこへのリンク情報が掲載されてしまうこと（ユーザーのＷｅｂサイトのリンクページのリンク集が「リンク切れのオンパレード」になってしまうこと）を、各ユーザーに負担を掛けること無く、有効に防止することができるようになる。
【００４０】
以上、本考案の実施例１について説明したが、本考案及び本考案を構成する各構成要件は、それぞれ、前記実施例１として述べたものに限定されるものではなく、様々な修正及び変更が可能である。例えば、前記本実施例１では、図１のサーバーシステムをＷｅｂホスティングサービス用システムとして使用する例を示したが、本考案ではこれに限られるものではなく、例えば独自のＷｅｂサーバーでＷｅｂサイトを公開しているユーザーに対してＡＳＰ（アプリケーション・サービス・プロバイダー）として前述のようなＳＥＯ自動相互リンクのサービスを提供するようにしてもよいことは勿論である。
【図面の簡単な説明】
【００４１】
【図１】本考案の実施例１によるＳＥＯ自動相互リンクシステムの全体像を示す概略ブロック図。
【図２】本実施例１におけるサーバーシステムを構成するデータベースサーバー、Ｗｅｂサーバー、及びメールサーバーなどにより実現される複数の機能を説明するための概念ブロック図。
【図３】本実施例１によるＳＥＯ自動相互リンクシステムの動作を説明するためのフローチャート。
【図４】本実施例１において、ユーザーのＷｅｂサイトが相互リンクしている相手先Ｗｅｂサイトの情報を一覧表示させたときの表示画面の一例を示す図。
【図５】本実施例１において、図４の画面に一覧表示されている複数の相互リンク相手先のＷｅｂサイトのどれか一つのタイトルをクリックすることにより、一つの相互リンク相手先のＷｅｂサイトの詳細情報を表示したときの画面の一例を示す図
【図６】ユーザーが自己のＷｅｂサイトのリンクページのリンク集の内容を修正するために使用する管理画面の一例を示す図
【符号の説明】
【００４２】
１         ユーザー端末
２         ネットワーク
３         サーバーシステム
１１     Ｗｅｂコンテンツデータベース
１２     相互リンク相手先データベース
１３     相互リンク依頼先データベース
１４     相互リンク依頼希望条件受付部
１５     相互リンク依頼先抽出部
１６     Ｗｅｂコンテンツ更新部
１７     相互リンク依頼メール生成部
１８     メール送信部
１９     返信メール受信部
２０     返信有無判定部
２１     返信メール解析部
２２     相互リンク状況報告メール生成部
２３     相手先ページ内リンク情報検出部
【図１】
0003133764.tif 000003
【図２】
0003133764.tif 000004
【図３】
0003133764.tif 000005
【図４】
0003133764.tif 000006
【図５】
0003133764.tif 000007
【図６】
0003133764.tif 000008
【手続補正書】
【提出日】平成19年4月25日(2007.4.25)
【手続補正１】
【補正対象書類名】明細書
【補正対象項目名】０００２
【補正方法】変更
【補正の内容】
【０００２】
従来より、ネット通販を行っているＷｅｂサイトなどは、その集客・販売を増やすために、様々な工夫やサービスを利用している（集客を増やすための懸賞の利用に関して実用新案登録文献１参照）。最近は、Ｇｏｏｇｌｅ（登録商標）やＹａｈｏｏ！（登録商標）などの検索エンジンの検索結果で上位にランクされることが集客に強く結び付くことから、ＳＥＯの技術も注目されている。
【手続補正２】
【補正対象書類名】図面
【補正対象項目名】図５
【補正方法】変更
【補正の内容】
【図５】
0003133764.tif 000009
【手続補正３】
【補正対象書類名】図面
【補正対象項目名】図６
【補正方法】変更
【補正の内容】
【図６】
0003133764.tif 000010